(57)【要約】【課題】  ユーザが利用する可能性の高い番組予約情報のみを番組予約情報格納部に格納することが可能な携帯端末装置を提供する。【解決手段】  制御部１６は、カメラモジュール１３が生成した映像データ（ＱＲコード）をデコードする。制御部１６は、そのデコード結果が番組予約指示を含んでいるか否かを判断する。制御部１６は、そのデコード結果が番組予約指示を含んでいると、そのデコード結果を番組予約情報としてＲＡＭ１５に格納する。【選択図】      図１
2006115310.tif 000002
【特許請求の範囲】
【請求項１】
予約された番組を記録する電子機器の番組予約を制御する携帯端末装置であって、
番組予約情報格納部と、
ユーザの入力を受け付ける入力部と、
前記入力部への撮影指示を行う旨の入力に応じて画像を読み取る読取部と、
前記読取部にて読み取られた画像が所定のコードを示す画像を含む場合に該所定のコードをデコードし、そのデコード結果が番組予約指示を含んでいると、前記デコード結果を番組予約情報として前記番組予約情報格納部に格納する制御部と、
前記入力部が、前記番組予約情報格納部に格納された番組予約情報の中から所望の番組予約情報を選択する旨の選択指示を受け付けると、その選択指示で選択された所望の番組予約情報を送信する送信部と、を含む携帯端末装置。
【請求項２】
請求項１に記載の携帯端末装置において、
前記所定のコードは、ＱＲコードであり、
前記読取部は、撮影部である、携帯端末装置。
【請求項３】
請求項１または２に記載の携帯端末装置において、
前記番組は、テレビ番組であり、
前記電子機器は、テレビ番組録画装置である、携帯端末装置。
【請求項４】
請求項１ないし３のいずれか１項に記載の携帯端末装置において、
前記送信部は、赤外線通信部である、携帯端末装置。
【請求項５】
予約された番組を記録する電子機器の番組予約を制御する携帯端末装置が行う番組予約方法であって、
前記携帯端末装置は、番組予約情報格納部を含み、
ユーザから撮影指示を受け付ける撮影指示受付ステップと、
前記撮影指示が受け付けられると、画像を読み取る読取ステップと、
前記画像が所定のコードを示す画像を含む場合に該所定のコードをデコードするデコードステップと、
前記デコードステップでのデコード結果が番組予約指示を含んでいると、前記デコード結果を番組予約情報として前記番組予約情報格納部に格納する格納ステップと、
前記番組予約情報格納部に格納された番組予約情報の中から所望の番組予約情報を選択する旨の選択指示を受け付ける選択指示受付ステップと、
前記選択指示で選択された所望の番組予約情報を送信する送信ステップと、を含む番組予約方法。
【請求項６】
請求項１に記載の番組予約方法において、
前記所定のコードは、ＱＲコードであり、
前記読取ステップは、前記ＱＲコードを撮影するステップである、番組予約方法。
【請求項７】
請求項５または６に記載の番組予約方法において、
前記番組は、テレビ番組であり、
前記電子機器は、テレビ番組録画装置である、番組予約方法。
【請求項８】
請求項５ないし７のいずれか１項に記載の番組予約方法において、
前記送信ステップは、前記選択指示で選択された所望の番組予約情報を赤外線で送信するステップである、番組予約方法。
【発明の詳細な説明】
【技術分野】
【０００１】
本発明は、携帯端末装置および番組予約方法に関し、特には、予約された番組を記録する電子機器の番組予約を制御する携帯端末装置および番組予約方法に関する。
【背景技術】
【０００２】
従来、赤外線通信部を有する携帯電話機が知られている。また、赤外線通信部を有する携帯電話機の中には、テレビジョンのリモコンまたはビデオ録画装置のリモコンとして使用可能な携帯電話機がある。
【０００３】
特許文献１（特開平８−１９０６３号公報）には、赤外線通信部を利用して、番組予約情報をビデオ録画装置に送信することが可能な通信端末装置が開示されている。
【０００４】
特許文献１に記載の通信端末装置は、例えば、サービスセンタから送信された２週間分のテレビ番組情報を受信する。この通信端末装置は、その受信したテレビ番組情報の中からユーザが選択したテレビ番組情報を番組予約情報として、ビデオ録画装置に赤外線で送信する。
【０００５】
また、特許文献２（特開２００２−３０４５１８号公報）には、ＱＲコードを読み取り、その読み取ったＱＲコードをデコードし、そのデコード結果のすべてを、ユーザが指定した個人データ管理サイトに送信する携帯電話機が開示されている。
【特許文献１】特開平８−１９０６３号公報
【特許文献２】特開２００２−３０４５１８号公報
【発明の開示】
【発明が解決しようとする課題】
【０００６】
特許文献１に記載の通信端末装置は、例えば、サービスセンタから送信された２週間分のテレビ番組情報を受信する。このため、この通信端末装置では、ユーザが利用する可能性の低いテレビ番組情報まで格納してしまう可能性が高い。
【０００７】
そこで、特許文献２に記載されたＱＲコード取得技術を利用して、ユーザが取得しようとする番組予約情報のみを示すＱＲコードを、携帯電話機で取得することが考えられる。
【０００８】
しかしながら、ＱＲコードの普及が進むと、さまざまな情報がＱＲコード化されると思われる。このため、デコード結果のすべてを番組予約情報として認識してしまうと、誤認識が生じる。
【０００９】
本発明の目的は、ユーザが利用する可能性の高い番組予約情報のみを番組予約情報格納部に格納することが可能な携帯端末装置および番組予約方法を提供することである。
【課題を解決するための手段】
【００１０】
上記の目的を達成するため、本発明の携帯端末装置は、予約された番組を記録する電子機器の番組予約を制御する携帯端末装置であって、番組予約情報格納部と、ユーザの入力を受け付ける入力部と、前記入力部への撮影指示を行う旨の入力に応じて画像を読み取る読取部と、前記読取部にて読み取られた画像が所定のコードを示す画像を含む場合に該所定のコードをデコードし、そのデコード結果が番組予約指示を含んでいると、前記デコード結果を番組予約情報として前記番組予約情報格納部に格納する制御部と、前記入力部が、前記番組予約情報格納部に格納された番組予約情報の中から所望の番組予約情報を選択する旨の選択指示を受け付けると、その選択指示で選択された所望の番組予約情報を送信する送信部とを含む。
【００１１】
また、本発明の番組予約方法は、予約された番組を記録する電子機器の番組予約を制御する携帯端末装置が行う番組予約方法であって、前記携帯端末装置は、番組予約情報格納部を含み、ユーザから撮影指示を受け付ける撮影指示受付ステップと、前記撮影指示が受け付けられると、画像を読み取る読取ステップと、前記画像が所定のコードを示す画像を含む場合に該所定のコードをデコードするデコードステップと、前記デコードステップでのデコード結果が番組予約指示を含んでいると、前記デコード結果を番組予約情報として前記番組予約情報格納部に格納する格納ステップと、前記番組予約情報格納部に格納された番組予約情報の中から所望の番組予約情報を選択する旨の選択指示を受け付ける選択指示受付ステップと、前記選択指示で選択された所望の番組予約情報を送信する送信ステップとを含む。
【００１２】
上記の発明によれば、ユーザの指示に基づいて読み取られた所定のコードのデコード結果のうち、番組予約指示を含むデコード結果が、番組予約情報として番組予約情報格納部に格納される。このため、ユーザが利用する可能性の高い番組予約情報のみを、番組予約情報格納部に格納することが可能になる。
【００１３】
前記所定のコードはＱＲコードであり、そのＱＲコードは撮影によって読み取られることが望ましい。
【００１４】
前記番組はテレビ番組であり、前記電子機器はテレビ番組録画装置であることが望ましい。この場合、ユーザが利用する可能性の高いテレビ番組予約情報のみを、番組予約情報格納部に格納することが可能になる。
【００１５】
前記所望の番組予約情報は、赤外線で送信されることが望ましい。
【発明の効果】
【００１６】
本発明によれば、ユーザが利用する可能性の高い番組予約情報のみを、番組予約情報格納部に格納することが可能になる。
【発明を実施するための最良の形態】
【００１７】
以下、本発明の実施例について図面を参照して説明する。
【００１８】
図１は、本発明の一実施例の携帯端末装置を示したブロック図である。
【００１９】
図１において、携帯端末装置としての携帯電話機１１は、入力部１２と、カメラモジュール１３と、ＲＯＭ１４と、ＲＡＭ１５と、制御部１６と、赤外線入出力モジュール１７と、無線部１８と、ＬＣＤ１９と、バス２０とを含む。
【００２０】
入力部１２は、例えばキー入力部で、ユーザの入力を受け付ける。
【００２１】
例えば、入力部１２は、カメラ起動指示をユーザから受け付ける。カメラ起動指示は、制御部１６に、カメラモジュール１３を起動させる。
【００２２】
また、入力部１２は、撮影指示をユーザから受け付ける。撮影指示は、制御部１６に、カメラモジュール１３で撮影を行わせる。
【００２３】
また、入力部１２は、使用指示をユーザから受け付ける。使用指示は、制御部１６に、赤外線入出力モジュール１７をビデオ録画装置１００の録画予約リモコンとして使用させる。
【００２４】
また、入力部１２は、保存指示をユーザから受け付ける。保存指示は、制御部１６に、カメラモジュール１３が撮影したＱＲコード（所定のコード）のデコード結果を番組予約情報としてＲＡＭ１５に格納させる。
【００２５】
また、入力部１２は、破棄指示をユーザから受け付ける。破棄指示は、制御部１６に、そのデコード結果を破棄させる。
【００２６】
また、入力部１２は、番組予約情報表示指示をユーザから受け付ける。番組予約情報表示指示は、ＬＣＤ１９に、ＲＡＭ１５に格納されている番組予約情報を表示させる。
【００２７】
また、入力部１２は、選択指示をユーザから受け付ける。選択指示は、制御部１６に、ＲＡＭ１５に格納された番組予約情報の中から、その選択指示で選択された所望の番組予約情報を選択させる。
【００２８】
また、入力部１２は、送信指示をユーザから受け付ける。送信指示は、制御部１６に、番組予約情報を赤外線入出力モジュール１７から送信させる。
【００２９】
カメラモジュール（撮影部）１３は、読取部として利用され、入力部１２がカメラ起動指示を受け付けると、制御部１６の指示に基づいて起動する。また、カメラモジュール１３は、入力部１２が撮影指示を受け付けると、制御部１６の指示に基づいて被写体を撮影し、その被写体の撮影データを生成する。例えば、カメラモジュール１３は、所定のコード（例えば、ＱＲコード）を撮影する。カメラモジュール１３は、その生成した撮影データを制御部１６に出力する。
【００３０】
ＲＯＭ１４は、コンピュータが読み取り可能な記録媒体である。ＲＯＭ１４は、制御部１６が実行する各種の制御用プログラムと、各種表示データなどの固定データとを格納している。
【００３１】
ＲＡＭ１５は、制御部１６が制御用プログラムを実行する上で一時的に必要とされるデータを格納する。また、ＲＡＭ（番組予約情報格納部）１５は、番組予約情報を格納する。この番組予約情報は、カメラモジュール１３が撮像したＱＲコードに基づいて生成される。
【００３２】
制御部１６は、例えば、ＣＰＵ等のコンピュータである。制御部１６は、ＲＯＭ１４に格納されている各種の制御用プログラムを読み取る。制御部１６は、その読み取った制御用プログラムを実行することによって、種々の動作を実行する。
【００３３】
例えば、制御部１６は、カメラモジュール１３が生成した映像データ（ＱＲコード）をデコードする。制御部１６は、そのデコード結果が番組予約指示を含んでいるか否かを判断する。制御部１６は、そのデコード結果が番組予約指示を含んでいると、そのデコード結果を番組予約情報としてＲＡＭ１５に格納する。
【００３４】
本実施例では、ＱＲコード化された番組予約情報は、ビデオ録画装置１００に、所定のテレビ番組を予約するための情報であり、「番組予約指示（識別子）」、「チャンネル」、「日付時間」、「録画形式」および「その他情報（映像ジャンル・出演者などの付随情報）」を含む。「チャンネル」は、その所定のテレビ番組が放送されるチャンネルを示す。「日付時間」は、その所定のテレビ番組が放送される日時および時間帯を示す。
【００３５】
なお、制御部１６は、そのデコード結果が番組予約指示を含んでいても、入力部１２が受け付けるユーザの指示に基づいて、そのデコード結果をＲＡＭ１５に格納しないことも可能である。
【００３６】
また、制御部１６は、入力部１２が選択指示を受け付けると、その選択指示で選択された所望の番組予約情報をＲＡＭ１５から読み出す。制御部１６は、その読み出した所望の番組予約情報を赤外線入出力モジュール１７から送信する。
【００３７】
ビデオ録画装置１００は、その送信された所望の番組予約情報を受信する。ビデオ録画装置１００は、その所望の番組予約情報に応じて、テレビ番組の録画予約を行う。なお、ビデオ録画装置１００は、予約された番組を記録する電子機器の一例であり、予約されたテレビ番組を記録する。
【００３８】
赤外線入出力モジュール１７は、送信部として利用され、赤外線通信を行う。例えば、赤外線入出力モジュール１７は、ビデオ録画装置１００のリモコンとして動作する。このため、携帯電話機１１は、ビデオリモコン機能を有する。
【００３９】
無線部１８は、無線信号の送受信を行う。無線部１８は、例えば、携帯電話用の無線信号の送受信を行う。
【００４０】
ＬＣＤ１９は、表示部として利用され、制御部１６の制御に基づいて、種々の情報を表示する。例えば、ＬＣＤ１９は、ＱＲコードのデコード結果を表示する。また、ＬＣＤ１９は、ＲＡＭ１５に格納された番組予約情報を表示する。
【００４１】
次に、動作を説明する。
【００４２】
図２は、携帯電話機１１の動作を説明するためのフローチャートである。以下、図２を参照して、携帯電話機１１の動作を説明する。
【００４３】
ステップ１では、入力部１２がカメラ起動指示を受け付けると、制御部１６は、カメラモジュール１３を起動する。ユーザは、ユーザが取得しようとする番組予約情報を示すＱＲコードがカメラモジュール１３で撮影されるように、カメラモジュール１３の位置を調整し、その後、撮影指示を入力部１２に入力する。
【００４４】
入力部１２が撮影指示を受け付けると、制御部１６は、カメラモジュール１３に、そのＱＲコードを撮影させる。カメラモジュール１３は、そのＱＲコードを示す撮影データを生成する。カメラモジュール１３は、その生成した撮影データを制御部１６に出力する。制御部１６は、その撮影データをデコードする。
【００４５】
制御部１６は、その撮影データのデコードが終了すると、ステップ２を実行する。
【００４６】
ステップ２では、制御部１６は、そのデコード結果を取得データとしてＬＣＤ１９に表示する。
【００４７】
制御部１６は、ステップ２を終了すると、ステップ３を実行する。
【００４８】
ステップ３では、制御部１６は、その取得データが番組予約指示を含んでいるか否かを判断する。換言すると、制御部１６は、ステップ３において、ステップ１で取得した情報が、ＱＲコード化された番組予約情報であるか否かを判断する。
【００４９】
なお、番組予約指示は、携帯電話機１１が有するビデオリモコン機能に連携している。このため、ステップ３での制御部１６の動作は、その取得データの識別子（番組予約指示）が、ビデオリモコンに連携しているか否かを判断する動作となる。
【００５０】
ステップ３にて、制御部１６は、その取得データが番組予約指示を含んでいないと、ステップ１を実行する。また、ステップ３にて、制御部１６は、その取得データが番組予約指示を含んでいると、ステップ４を実行する。
【００５１】
なお、ユーザはステップ２でＬＣＤ１９に表示された取得データを確認し、その後、その取得データを利用して、ビデオ録画装置１００に番組録画予約を直ちに設定するか否かの指示を入力部１２に入力する。換言すると、ユーザは、その取得データを確認した後、赤外線入出力モジュール１７をビデオ録画装置１００の録画予約リモコンとして直ちに使用するか否かの指示を入力部１２に入力する。
【００５２】
具体的には、ユーザは、赤外線入出力モジュール１７をビデオ録画装置１００の録画予約リモコンとして直ちに使用したい場合、入力部１２に使用指示を入力する。
【００５３】
また、ユーザは、その取得データをＲＡＭ１５に格納したい場合、入力部１２に保存指示を入力する。
【００５４】
また、ユーザは、その取得データを破棄したい場合、入力部１２に破棄指示を入力する。
【００５５】
ステップ４では、制御部１６は、ユーザが赤外線入出力モジュール１７をビデオ録画装置１００の録画予約リモコンとして直ちに使用したいか否かを判断する。具体的には、ステップ４では、制御部１６は、入力部１２がユーザから使用指示を受け付けたか否かを判断する。
【００５６】
制御部１６は、入力部１２が使用指示を受け付けると、ステップ５を実行する。一方、制御部１６は、入力部１２が保存指示または破棄指示を受け付けると、ステップ９を実行する。
【００５７】
ステップ５では、制御部１６は、赤外線入出力モジュール１７をビデオ録画装置１００の録画予約リモコンとして起動させる。制御部１６は、ステップ５を終了すると、ステップ６を実行する。
【００５８】
ユーザは、その取得データを変更したい場合、入力部１２に、その取得データを変更するための変更情報を入力する。なお、変更情報は、例えば、その取得データの詳細（例えば、予約開始時刻または予約終了時刻）を変更するための設定情報である。入力部１２は、その変更情報を受け付ける。
【００５９】
ステップ６では、制御部１６は、その変更情報に基づいて、その取得データを変更する。制御部１６は、その変更された取得データ（以下、「変更データ」と称する。）を、ＬＣＤ１９に表示する。なお、制御部１６は、入力部１２が変更情報を受け付けていないと、その取得データを変更しない。
【００６０】
制御部１６は、ステップ６を終了すると、ステップ７を実行する。
【００６１】
ユーザは、ＬＣＤ１９に表示された取得データまたは変更データを確認し、ＬＣＤ１９に表示された取得データまたは変更データを番組予約情報として送信したい場合、入力部１２に送信指示を入力する。
【００６２】
ステップ７では、入力部１２は、その送信指示を受け付ける。制御部１６は、入力部１２がその送信指示を受け付けると、ステップ８を実行する。
【００６３】
ステップ８では、制御部１６は、ＬＣＤ１９に表示された取得データまたは変更データを、ビデオ録画装置１００用のフォーマット（例えば、ビデオ録画装置１００のメーカに対応するフォーマット）に変換する。制御部１６は、その変換結果を、番組予約情報として、赤外線入出力モジュール１７から送信する。このとき、ビデオ録画装置１００がその番組予約情報を受信できるように、ユーザが赤外線入出力モジュール１７の向きを調整することが望ましい。
【００６４】
ビデオ録画装置１００は、その送信された番組予約情報を受信すると、その受信した番組予約情報に基づいて、テレビ番組の録画予約を設定する。
【００６５】
一方、ステップ９では、制御部１６は、入力部１２が保存指示を受け付けていると、ステップ１０を実行し、入力部１２が破棄指示を受け付けていると、ステップ１１を実行する。
【００６６】
ステップ１０では、制御部１６は、その取得データを番組予約情報としてＲＡＭ１５に格納し、ＱＲコード認識動作を終了する。
【００６７】
一方、ステップ１１では、制御部１６は、その取得データを破棄し、ＱＲコード認識動作を終了する。
【００６８】
次に、ＲＡＭ１５に格納された番組予約情報を用いて、ビデオ録画装置１００の番組予約を制御する動作を説明する。
【００６９】
入力部１２が番組予約情報表示指示を受け付けると、制御部１６は、ＲＡＭ１５に格納されている番組予約情報をＬＣＤ１９に表示する。
【００７０】
ユーザは、ＬＣＤ１９に表示された番組予約情報の中から所望の番組予約情報を選択する旨の選択指示を入力部１２に入力する。
【００７１】
入力部１２が選択指示を受け付けると、制御部１６は、その選択指示で選択された所望の番組予約情報をＲＡＭ１５から読み出す。
【００７２】
制御部１６は、その読み出した所望の番組予約情報を、ビデオ録画装置１００用のフォーマットに変換し、その変換結果を、番組予約情報として、赤外線入出力モジュール１７から送信する。
【００７３】
ビデオ録画装置１００は、その番組予約情報を受信すると、その受信した番組予約情報に基づいてテレビ番組の録画予約を設定する。
【００７４】
次に、ビデオリモコン機能（具体的には、赤外線入出力モジュール１７をビデオ録画装置１００の録画予約リモコンとして使用する機能）を起動した状態で、ビデオ録画装置１００に番組予約情報を送信する動作を、図３を参照して説明する。
【００７５】
図３は、ビデオリモコン機能を起動した状態で番組予約情報を送信する動作を説明するためのフローチャートである。なお、図３において、図２で示したステップと同じステップには同一符号を付してある。
【００７６】
番組予約情報がＬＣＤ１９に表示されていない状態で、入力部１２が使用指示を受け付けると、制御部１６は、赤外線入出力モジュール１７をビデオ録画装置１００の録画予約リモコンとして使用可能な状態にする。
【００７７】
赤外線入出力モジュール１７が録画予約リモコンとして使用可能な状態になると、制御部１６は、ユーザが番組予約情報の取得方法を指定することを促す表示を、ＬＣＤ１９に表示する。ユーザは、この表示に応じて、番組予約情報の取得方法を入力部１２に入力する。例えば、ユーザは、番組予約情報の取得方法として、「ＱＲコードで入力」と、「以前の取得データから取得」と、「直接入力」と、のいずれかを入力する。
【００７８】
ステップ１０１では、入力部１２は、その番組予約情報の取得方法を受け付ける。制御部１６は、入力部１２が番組予約情報の取得方法を受け付けると、ステップ１０２を実行する。
【００７９】
ステップ１０２では、制御部１６は、入力部１２が「ＱＲコードで入力」を受け付けたか否かを判断する。
【００８０】
制御部１２は、入力部１２が「ＱＲコードで入力」を受け付けた場合、ステップ１０３を実行し、また、入力部１２が「ＱＲコードで入力」を受け付けていない場合、ステップ１０４を実行する。
【００８１】
ステップ１０３では、制御部１６は、カメラモジュール１３を起動する。ユーザは、ユーザが取得しようとする番組予約情報を示すＱＲコードがカメラモジュール１３で撮影されるように、カメラモジュール１３の位置を調整し、その後、撮影指示を入力部１２に入力する。
【００８２】
入力部１２が撮影指示を受け付けると、制御部１６は、ステップ１０５を実行する。
【００８３】
ステップ１０５では、制御部１６は、カメラモジュール１３に、そのＱＲコードを撮影させる。カメラモジュール１３は、その撮影したＱＲコードを示す撮影データを生成する。カメラモジュール１３は、その生成した撮影データを制御部１６に出力する。制御部１６は、その撮影データをデコードする。
【００８４】
制御部１６は、その撮影データのデコードが終了すると、そのデコード結果を取得データとし、続いて、ステップ１０６を実行する。
【００８５】
ステップ１０６では、制御部１６は、その取得データをＬＣＤ１９に表示する。
【００８６】
ユーザは、その取得データを変更したい場合、入力部１２に、その取得データを変更するための変更情報を入力する。なお、変更情報は、例えば、その取得データの詳細を変更するための設定情報である。入力部１２は、その変更情報を受け付ける。
【００８７】
ステップ１０６では、制御部１６は、その変更情報に基づいて、その取得データを変更する。制御部１６は、その変更された取得データ（変更データ）を、ＬＣＤ１９に表示する。なお、制御部１６は、入力部１２が変更情報を受け付けていないと、その取得データを変更しない。
【００８８】
以降、図２に示したステップ７と同様の動作が実行される。
【００８９】
一方、ステップ１０４では、制御部１６は、入力部１２が「以前の取得データから取得」と「直接入力」のいずれかを受け付けたか判断する。
【００９０】
制御部１６は、入力部１２が「以前の取得データから取得」を受け付けた場合、ステップ１０７を実行し、また、入力部１２が「直接入力」を受け付けた場合、ステップ１０８を実行する。
【００９１】
ステップ１０７では、制御部１６は、ＲＡＭ１５に格納されている番組予約情報をＬＣＤ１９に表示する。
【００９２】
ユーザは、ＬＣＤ１９に表示された番組予約情報の中から所望の番組予約情報を選択する旨の選択指示を入力部１２に入力する。
【００９３】
入力部１２が選択指示を受け付けると、制御部１６は、ステップ１０９を実行する。
【００９４】
ステップ１０９では、制御部１６は、その選択指示で選択された所望の番組予約情報をＲＡＭ１５から読み出す。
【００９５】
制御部１６は、その読み出した所望の番組予約情報を取得データとみなして、ステップ１０６を実行する。
【００９６】
一方、ステップ１０８では、ユーザは所望の番組予約情報を入力部１２に入力する。制御部１６は、その入力された所望の番組予約情報を取得データとみなして、ステップ１０６を実行する。
【００９７】
本実施例によれば、ユーザの指示に基づいて読み取られたＱＲコードのデコード結果のうち、番組予約指示を含むデコード結果が、番組予約情報としてＲＡＭ１５に格納される。このため、ユーザが利用する可能性の高い番組予約情報（例えば、番組予約情報）のみを、ＲＡＭ１５に格納することが可能になる。
【００９８】
また、ビデオリモコンがユーザの手元になくても、携帯電話機１１内に番組予約情報を保存できる。このため、番組予約情報の亡失を防ぐことが可能になる。
【００９９】
また、携帯電話機１１内に保存した番組予約情報を用いて、ビデオ録画装置に番組記録の予約を設定できる。このため、スムーズに番組記録の予約をすることが可能となる。
【０１００】
なお、上記実施例では、携帯端末装置として携帯電話機を用いた。しかしながら、携帯端末装置は、携帯電話機に限らず適宜変更可能である。例えば、携帯端末装置は、ＰＨＳ端末装置またはＰＤＡ（Personal  Data  Assistance, Personal  Digital  Assistants：個人向け携帯型情報通信機器）でもよい。
【０１０１】
また、上記実施例では、送信部として赤外線入出力モジュールを用いた。しかしながら、送信部は赤外線入出力モジュールに限らず適宜変更可能である。
【０１０２】
例えば、ビデオ録画装置が、インターネット等の通信回線を介して番組予約情報を受け付けることが可能な場合、送信部は、インターネット等の通信回線に接続可能な通信部でもよい。例えば、今後、ユビキタスコンピューティングシステムがビデオ録画装置を含むようになると、ユーザは、番組予約情報を取得後、ビデオ録画装置から遠く離れた場所から、そのビデオ録画装置に番組記録予約を行うことが可能にもなり、使用用途が広がる。
【０１０３】
また、上記実施例では、予約された番組を記録する電子機器として、予約されたテレビ番組を記録するビデオ録画装置を用いた。しかしながら、予約された番組を記録する電子機器はビデオ録画装置に限らず適宜変更可能である。例えば、予約された番組を記録する電子機器は、予約されたラジオ番組を記録するラジオ番組録音装置でもよい。
【０１０４】
また、上記実施例では、所定のコードとしてＱＲコードを用いた。しかしながら、所定のコードはＱＲコードに限らず適宜変更可能である。
【０１０５】
また、上記実施例では、読取部としてカメラモジュール（撮影部）を用いた。しかしながら、読取部はカメラモジュールに限らず適宜変更可能である。
【０１０６】
以上説明した実施例において、図示した構成は単なる一例であって、本発明はその構成に限定されるものではない。
【図面の簡単な説明】
【０１０７】
【図１】本発明の一実施例の携帯電話機を示したブロック図である。
【図２】図１に示した携帯電話機の動作の一例を示したフローチャートである。
【図３】図１に示した携帯電話機の動作の他の一例を示したフローチャートである。
【符号の説明】
【０１０８】
１１      携帯電話機
１２      入力部
１３      カメラモジュール
１４      ＲＯＭ
１５      ＲＡＭ
１６      制御部
１７      赤外線入出力モジュール
１８      無線部
１９      ＬＣＤ
２０      バス
【図１】
2006115310.tif 000003
【図２】
2006115310.tif 000004
【図３】
2006115310.tif 000005